(57)【要約】【課題】  より高い美肌効果を奏することができる美肌装置を提供する。【解決手段】  美肌装置は、肌の所望箇所に押し当てられる肌押し当て部と、前記肌押し当て部が押し当てられる又は押し当てられた前記所望箇所にマイナスイオンを含んだイオン風を吹き当てるイオン風吹き当て部とを備える。前記肌押し当て部は、遠赤外線を発するセラミックスが含まれた部材、ゲルマニウムが含まれた部材、又は、トルマリンが含まれた部材から成っている。【選択図】図１
2004148107.tif 000002
【特許請求の範囲】
【請求項１】
肌の所望箇所に押し当てられる肌押し当て部と、
前記肌押し当て部が押し当てられる又は押し当てられた前記所望箇所に、マイナスイオンを含んだイオン風を吹き当てるイオン風吹き当て部と
を備える美肌装置。
【請求項２】
前記肌押し当て部は、前記肌に押し当てられつつ所定軸を中心に前記肌上を転がることができる回転体である、
請求項１記載の美肌装置。
【請求項３】
前記肌押し当て部が前記美肌装置の他の部分から着脱自在であり、且つ、前記肌押し当て部を取り外した後に、これに代えて、これとは別の形状をした又は別の材料から成っている別の肌押し当て部を前記他の部分に着脱自在に取り付けることができるように構成されている、
請求項１記載の美肌装置。
【請求項４】
前記イオン風吹き当て部は、１又は複数のイオン風吹出穴を有し、前記１又は複数のイオン風吹出穴は、
（１）前記肌押し当て部の前記肌に接して押し当てられる接触面の外周縁に沿って、実質的全周にわたって設けられている、
（２）前記肌押し当て部の前記接触面の縁に沿って実質的に全幅にわたって設けられている、又は、
（３）前記肌押し当て部の前記接触面の領域内に設けられている、
請求項１記載の美肌装置。
【請求項５】
前記肌押し当て部は、１又は複数のイオン風吹出穴を持った吹出口部材を有し、
前記吹出口部材は、前記肌押し当て部の前記肌の所望箇所に接して押し当てられる接触面のあらゆる領域が前記所望箇所に接することを妨げないような位置に又は形状で設けられている、
請求項１記載の美肌装置。
【請求項６】
体表をトリートメントするためのトリートメント部と、
前記トリートメントされる体表の領域に、マイナスイオンと、或る液体が霧状になったものである霧状液体と含んだイオン風を吹き当てる吹き当て部と
を備えるトリートメント装置。
【請求項７】
前記液体は、水又は前記体表に有効な成分を含んだものである請求項６記載のトリートメント装置。
【請求項８】
前記液体を取り込む取込手段と、
前記取り込まれた液体から前記霧状液体を発生させる霧発生手段と
を更に備える請求項６記載のトリートメント装置。
【発明の詳細な説明】
【技術分野】
【０００１】
本発明は、体表をトリートメントするためのトリートメント装置に関し、具体的には、例えば、顔や腕等の肌をケアするための美肌装置に関する。
【背景技術】
【０００２】
美肌装置の一つに、円筒形のローラを肌に押し当てつつ転がすことで、肌の血行を促進し、それにより、肌を滑らかにする等の美肌効果を奏する装置がある（特許文献１参照）。
【０００３】
【特許文献１】特開平８−１０３３２５号公報。
【発明の開示】
【発明が解決しようとする課題】
【０００４】
しかし、ユーザの中には、その装置よりも美肌効果の高い美肌装置を望む者がいるであろう。
【０００５】
従って、本発明の目的は、より高い美肌効果を奏することができる美肌装置を提供することにある。
【０００６】
本発明の他の目的は、後述の説明から明らかになるであろう。
【課題を解決するための手段】
【０００７】
本発明に従う美肌装置は、肌の所望箇所に押し当てられる肌押し当て部と、前記肌押し当て部が押し当てられる又は押し当てられた前記所望箇所にマイナスイオンを含んだイオン風を吹き当てるイオン風吹き当て部とを備える。イオン風吹き当て部は、例えば、肌押し当て部が押し当てられる直前、押し当て中又は押し当てられた直後に、イオン風を吹き当てる。
【０００８】
好適な実施形態では、前記肌押し当て部は、前記肌に押し当てられつつ所定軸を中心に前記肌上を転がることができる回転体である。例えば、その回転体は、円筒形の又は球形のローラである。
【０００９】
好適な実施形態では、前記肌押し当て部は、遠赤外線を発するセラミックスが含まれた部材から成っている。
【００１０】
好適な実施形態では、前記肌押し当て部は、ゲルマニウムが含まれた部材から成っている。例えば、その部材は金属である。
【００１１】
好適な実施形態では、前記肌押し当て部は、トルマリンが含まれた部材から成っている。
【００１２】
好適な実施形態では、前記肌押し当て部は、粉状のトルマリンが含まれた樹脂から成っている。
【００１３】
好適な実施形態では、前記肌押し当て部は、遠赤外線を発する部材から成っている。
【００１４】
好適な実施形態では、前記肌押し当て部は、磁気を帯びた部材から成っている。
【００１５】
好適な実施形態では、前記肌押し当て部は、微量の電気を流すことができる部材から成っている。
【００１６】
好適な実施形態では、前記肌押し当て部が前記美肌装置の他の部分から着脱自在であり、且つ、前記肌押し当て部を取り外した後に、これに代えて、これとは別の形状をした又は別の材料から成っている別の肌押し当て部を前記他の部分に着脱自在に取り付けることができるように構成されている。
【００１７】
好適な実施形態では、前記肌押し当て部は、１又は複数のイオン風吹出穴を持った吹出口部材を有し、前記吹出口部材が前記美肌装置の他の部分から着脱自在であり、且つ、前記吹出口部材を取り外した後に、これに代えて、温風乾燥装置として利用できるような形状をした別の吹出口部材を前記他の部分に着脱自在に取り付けることができるように構成されている。
【００１８】
好適な実施形態では、前記イオン風吹き当て部は、１又は複数のイオン風吹出穴を有する吹出口部材と、マイナスイオンを含んだイオン風を発生して前記吹出口部材へ送り込むイオン風発生部とを有し、前記イオン風吹き当て部又は前記イオン風吹き当て部中の前記吹出口部材が、前記美肌装置の他の部分に対して着脱自在になっている。更に好適には、例えば、美肌装置は、前記吹出口部材を取り外した後、前記吹出口部材とは別の形状をした別の吹出口部材を前記他の部分に取り付けることができるようになっている。また、好適には、前記別の吹出口部材の形状は、前記美肌装置を温風乾燥装置としても利用できるような形状である。
【００１９】
好適な実施形態では、前記イオン風吹き当て部は、前記イオン風を温風にするためのヒータを有している。
【００２０】
好適な実施形態では、前記イオン風吹き当て部は、１又は複数のイオン風吹出穴を有し、前記１又は複数のイオン風吹出穴は、（１）前記肌押し当て部の前記肌に接して押し当てられる接触面の外周縁に沿って、実質的全周にわたって設けられている、（２）前記肌押し当て部の前記接触面の縁に沿って実質的に全幅にわたって設けられている、又は、（３）前記肌押し当て部の前記接触面の領域内に設けられている。
【００２１】
好適な実施形態では、前記イオン風吹き当て部が、オゾンを発生するオゾン発生部を有し、マイナスイオンの他にオゾンが含まれた前記イオン風を前記所望箇所に吹き当てるように構成されている。
【００２２】
好適な実施形態では、前記肌押し当て部は、１又は複数のイオン風吹出穴を持った吹出口部材を有し、前記吹出口部材は、前記肌押し当て部の前記肌の所望箇所に接して押し当てられる接触面のあらゆる領域が前記所望箇所に接することを妨げないような位置に又は形状で設けられている。具体的には、例えば、イオン風吹出穴は、（１）前記肌押し当て部の前記肌に接して押し当てられる接触面の外周縁に沿って、実質的全周にわたって設けられている、又は（２）前記肌押し当て部の前記接触面の縁に沿って実質的に全幅にわたって設けられており、前記吹出口部材の前記イオン風吹出穴を有する面が、肌に押し当てられた前記肌押し当て部がその肌に沿って良好に滑ることができるように、前記接触面に対して斜めになっている。
【００２３】
好適な実施形態では、ユーザからエステティックモードの実行要求を受けるためのエステティックモード要求受付部と、以下の（１）及び（２）
（１）前記肌押し当て部に所定の方法で作用する又はその作用態様を制御する押し当て作用部、及び、
（２）前記肌に吹き当てるイオン風の風量、風向き及び温度の少なくとも１つを制御するイオン風制御部、
の２つのうちの少なくとも一方とを備え、前記エステティックモード要求受付部が前記ユーザからエステティックモードの実行要求を受けたときに、前記（１）の押し当て作用部と前記（２）のイオン風制御部との少なくとも一方が駆動するように構成されている。
【００２４】
本発明に従うトリートメント装置は、体表をトリートメントするためのトリートメント部と、前記トリートメントされる体表の領域に、マイナスイオンと、或る液体が霧状になったものである霧状液体と含んだイオン風を吹き当てる吹き当て部とを備える。
【００２５】
本明細書で言う「トリートメント」とは、皮膚又は体毛等の体表への物理的又は化学的な作用を言う。
【００２６】
トリートメント部としては、例えば、上記美肌装置における肌押し当て部、剃毛又は抜毛等の除毛を行う除毛部、及び／又は、髪を整えるためのブラシがある。
【００２７】
好適な実施形態では、前記液体は、水又は前記体表に有効な成分を含んだものである。
【００２８】
好適な実施形態では、トリートメント装置は、前記液体を取り込む取込手段と、前記取り込まれた液体から前記霧状液体を発生させる霧発生手段とを更に備える。前記取込手段は、例えば、前記トリートメント装置内部又は外部に取り付けられた液体タンクから所定の方法で液体を取り込む。液体を霧発生手段に取り込む方法としては、例えば、液体タンクと霧発生手段との間に液体通路（一例として、所定口径の管、又は羊毛フェルト或いは合成繊維等の液体吸収体）を介在させ、所定の液体吸上げ方法（一例として、ポンプ又は液体吸収体の毛細管現象）により、液体タンク内の液体を吸上げ液体通路を介して霧発生手段に供給する方法が考えられる。霧発生手段は、例えば、熱によって液体を蒸気化する手段、又は、超音波によって液体を霧化する手段がある。
【００２９】
また、本発明に従うトリートメント装置の一実施形態が応用された除毛装置は、例えば、皮膚に生えている体毛を除毛するための除毛部と、除毛直前、除毛中又は除毛直後に、前記除毛部によって除毛される又はされた皮膚の領域に、マイナスイオンを含んだイオン風を吹き当てるイオン風吹き当て部とを備える。
【００３０】
この除毛装置の第１の好適な実施形態では、前記除毛部は、前記体毛を剃毛するための剃毛部である。
【００３１】
この除毛装置の第２の好適な実施形態では、前記除毛部は、前記体毛を脱毛するための脱毛部である。なお、ここで言う「脱毛」とは、抜き取ることで体毛を除去するいわゆる「抜毛」に限られない広い意味（例えば、温灸脱毛、電気脱毛、レーザ脱毛などを包含する意味）の脱毛である。
【００３２】
この除毛装置の第３の好適な実施形態では、前記除毛部は、前記体毛に直接作用する除毛機構と、前記除毛機構を駆動する駆動装置とを有し、前記除毛部又は前記除毛部中の前記除毛機構が、前記除毛装置の他の部分に対して着脱可能に構成されている。
【００３３】
この除毛装置の第４の好適な実施形態では、除毛装置が、前記除毛部が前記他の部分から着脱自在であり、且つ、前記除毛部を取り外した後に、これに代えて、これとは別の方法で除毛するための別の除毛部を前記他の部分に着脱自在に取り付けることができるように構成されている。
【００３４】
この除毛装置の第５の好適な実施形態では、前記イオン風吹き当て部は、１又は複数のイオン風吹出穴を有する吹出口部材と、マイナスイオンを含んだイオン風を発生して前記吹出口部材へ送り込むイオン風発生部とを有し、前記イオン風吹き当て部又は前記イオン風吹き当て部中の前記吹出口部材が、前記除毛装置の他の部分に対して着脱自在になっている。また、除毛装置が、前記吹出口部材を取り外した後、前記吹出口部材とは別の形状をした別の吹出口部材を前記他の部分に取り付けることができるようになっている。さらに、前記別の吹出口部材の形状は、前記除毛装置を温風乾燥装置としても利用できるような形状である。
【００３５】
この除毛装置の第６の好適な実施形態では、前記イオン風吹き当て部は、前記イオン風を温風にするためのヒータを有している。
【００３６】
この除毛装置の第７の好適な実施形態では、前記イオン風吹き当て部は、１又は複数のイオン風吹出穴を有し、前記１又は複数のイオン風吹出穴は、（１）前記除毛部の前記皮膚又は前記体毛に接して作用する作用面の外周縁に沿って、実質的全周にわたって設けられている、（２）前記除毛部の前記皮膚又は前記体毛に接して作用する作用面の縁に沿って実質的に全幅にわたって設けられている、又は、（３）前記除毛部の前記作用面の領域内に設けられている。
【００３７】
この除毛装置の第８の好適な実施形態では、前記イオン風吹き当て部が、オゾンを発生するオゾン発生部を有し、マイナスイオンの他にオゾン（例えば微量のオゾン）が含まれた前記イオン風を前記皮膚又は前記体毛に吹き当てるように構成されている。
【００３８】
この除毛装置の第９の好適な実施形態では、前記除毛部は、１又は複数のイオン風吹出穴を持った吹出口部材を有し、前記吹出口部材は、前記除毛部の前記皮膚又は前記体毛に接して作用する作用面のあらゆる領域が前記皮膚又は前記体毛に接することを妨げないような位置に又は形状で設けられている。
【００３９】
本発明に従うトリートメント装置は、前述した美肌装置及び除毛装置の少なくとも一方の各特徴、及び／又は、後述する種々の実施例で説明する特徴を備えることが可能である。
【発明の効果】
【００４０】
本発明に従う美肌装置によれば、肌押し当て部が押し当てられる又は押し当てられたユーザ所望箇所にマイナスイオンを含んだイオン風が吹き当てられるので、美肌効果が高まる。
【００４１】
本発明に従うトリートメント装置によれば、マイナスイオンと霧状液体とを含んだイオン風がトリートメントされる領域に吹き当てられるので、トリートメント効果が高まる。
【発明を実施するための最良の形態】
【００４２】
以下、本発明の一実施形態における種々の実施例について説明する。
【実施例１】
【００４３】
以下、本発明の第1実施例を、図面により詳細に説明する。
【００４４】
図１は、本発明の第１実施例に係る美肌装置の正面図、図２は、その美肌装置の側面図、図３は、その美肌装置の頭部の斜視図である。
【００４５】
美肌装置１０１は、ローラ（以下、これを「美肌ローラ」と言う）１１３を有し、美肌ローラ１１３を肌に押し当てつつ転がすことで、肌の血行を促進し、それにより、肌を滑らかにする等の美肌効果を奏することができるようになっている。また、この美肌装置１０１は、マイナスイオンを発生して、美肌ローラ１１３が通過する又は通過した肌上の領域に、そのマイナスイオンが含まれた風を吹き当てることで、その領域において血流を善くしたり細胞を活性化したりして、より高い美肌効果を奏することができるようになっている。以下、この美肌装置１０１について具体的に説明する。
【００４６】
美肌装置１０１は、頭ケーシング１２１と、体ケーシング１とを有している。
【００４７】
頭ケーシング１２１は、プラスチック等の所定の材料から成っており、肌に接して押し当てられつつ転がされる円筒形のローラ（以下、「美肌ローラ」と言う）１１３と、美肌ローラ１１３の回転軸１０３とが収まるような形状を有するように作られている。頭ケーシング１２１は、美肌ローラ１１３の外周面の少なくとも一部分が肌に接することができるよう、美肌ローラ１１３の一部が頭ケーシング１２１の外へ出るような形状に成っている。
【００４８】
また、この頭ケーシング１２１は、体ケーシング１に着脱自在になっており、マイナスイオンが含まれたイオン風が吹き出るイオン風吹出穴１２３を有している。イオン風吹出穴１２３は、美肌ローラ１１３の下側（体ケーシング１がある側）及び／又は上側に、美肌ローラ１１３が肌に接することができる部分（すなわち、美肌ローラ１１３の外周面の一部であって、実際に肌に接触することができる面）の縁に沿って実質的に全幅にわたって設けられている。また、イオン風吹出穴１２３は、正面を向いている、すなわち、美肌ローラ１２３が肌に接したときに肌に対向するようになっている。この構成により、美肌ローラ１１３が通過する又は通過した肌上の領域にイオン風を吹き当てることができる。
【００４９】
体ケーシング１は、握りやすいように、その中央部分が中心軸方向に窪んだ形状になっている、換言すれば、中央部分の断面積が先端部分又は基端部分の断面積よりも狭くなっている。この体ケーシング１は、頭ケーシング１２１を着脱自在に有し、頭ケーシング１２１が嵌められたならばそれを固定し、側面の頭ケーシング取外しボタン１１９が押されたならばその固定を解除してユーザが頭ケーシング１２１を自由に取り外せるようになっている。
【００５０】
また、この体ケーシング１には、コントロール部１０７が設けられている。コントロール部１０７には、マイナスイオンの発生処理が行われているか否かを示すイオン発生ランプ１１７と、吹出るイオン風の風量（又は風速）のレベルを示す風量レベルランプ１１５Ａ〜１１５Ｃと、イオン風の風量を調節するための風量調節ボタン１１１Ａ、１１１Ｂとが設けられている。また、コントロール部１０７には、イオン風を温風にするか冷風にするかを切り替えるための上下にスライド可能な風温切替スイッチ２０９と、美肌装置１０１の電源のオン／オフを切り替えるための上下にスライド可能な電源スイッチ１０９と、後述のエステティックモードの実行を指示するためのエステティックモードボタン２１１とが設けられている。
【００５１】
図４は、美肌装置１０１の体ケーシング１内における部分の断面を示す。
【００５２】
体ケーシング１の後部開口１ａ（図示右側）には網目状の蓋体２が取付けられて空気を導入可能に設けられ（つまり、空気を吸入可能にするための穴が設けられ）、この蓋体２の中心には電源側と接離可能に接続するシーベルソケット３が設けられる。また、体ケーシング１の後部側にはモーターファン部４が形成され、モーター５はモーターホルダー６により体ケーシング１の内径部の所定の位置に着脱可能に係着され、同モーター５の回転軸にはファン７が取付けられてモーター５の回転により図示左側の頭ケーシング１２１へ空気を送風するように設けられている。
【００５３】
また、ヒーター部８はヒーター線９が十字状に組まれたマイカ板１０ａ，１０ｂに巻き付けられるとともに、図５に示すように、十字状のマイカ板１０ｂの一部が切り欠きされてヒーター線９の内側に断面略半円状のマイカ板１１が設けられて風胴部１２（図５参照）が形成されている。また、このように形成された十字状のマイカ板１０ａ，１０ｂの外周には筒状の２層からなる遮熱板１３が取付けられて体ケーシング１内に納められている。このように形成されたヒーター部８の風胴部１２の入り口側には温度ヒューズ１４が設けられ、この温度ヒューズ１４の一端はリード線１５ａにより風胴部１２内に挿通されてマイカ板１０ａのイオン風吹出穴１２３側に取付けられたサーモスタット１６の一端１６ａに接続され、このサーモスタット１６の他端１６ｂはヒーター線９のイオン風吹出穴１２３側の端部９ａに接続されている。
【００５４】
上記のように設けられたモーターファン部４とヒーター部８にはシーベルソケット３のサイド端子板３ａがリード線１５ｂにより体ケーシング１に設けられたスイッチ１７に接続され、このスイッチ１７は１つの端子はリード線１５ｃによりヒーター線９の端部９ｂに接続され、同スイッチ１７のもう１つの端子はリード線１５ｄにより後述のイオン発生器２１の基板２２の直列共振回路（図６参照）Ｓr に接続されている。また、温度ヒューズ１４とリード線１５ａの接続部にはフレキシブル抵抗１８の一端１８ａが接続され、同抵抗１８は十字状のマイカ板１０に巻き回しされ、その端部１８ｂはマイカ板１０ａに止着され、この端部１８ｂにはモータープレート１９に配設された整流回路２０に接続するリード線１５ｅの端部が接続されている。また、シーベルソケット３のセンター端子板３ｂはリード線１５ｆにより温度フューズ１４の端部に接続されている。このように配設されたモーターファン部４とヒーター部８の間にはイオン発生器２１が配設されている。
【００５５】
このイオン発生器２１の基板２２には図３に示す直列共振回路Ｓr が配設され、同回路はトランスＴ（図７参照）に接続され、このトランスＴの二次側巻線端子にはオゾン出力端子２３とマイナスイオン出力端子２４とが設けられ、オゾン出力端子２３にはＣｕメッキのオゾン用線を主体とするオゾン電極２５が接続されてガラス管２６に挿通保護され、また、マイナスイオン出力端子２４にはイオン出力ダイオード２８とイオン出力針（例えば、純度99.999銀）２９を接続したイオン電極２７が接続されてガラス管３０に挿通保護され、両ガラス管２６、３０は風胴部１２内に挿入されている。このように設けられたイオン発生器２１における直列共振回路Ｓr は放電によりイオンを発生させるための電気回路を示すもので、図３に示すように入力端子Ｅ1,Ｅ2 に交流の１００Ｖが入力されると、その交流電圧はダイオードＤ1,Ｄ2 で整流され直流に変換される。直流に変換された電圧はコンデンサＣとトランスＴの一次側巻線とで構成される直列共振回路Ｓr に印加され、コンデンサＣに対する充電と、サイリスタＳＣＲのターンオンによる放電とが繰り返されるため、その充放電のタイミングに応じてトランスＴの一次側巻線に比較的高い周波数の交流電流が通電される。その結果トランスＴ側の二次側巻線端子２３，２４にイオン発生可能な高電圧が出力される。
【００５６】
このオゾン出力端子２３とマイナスイオン出力端子２４には、オゾン電極２５とイオン電極２７が接続されている。このため、送風状態になると、ガラス管２６外面で発生したオゾンおよびイオン出力針２９で発生したマイナスイオンは、後部開口１ａ（図４参照）から流入する（ファン７によって吸引される）空気に含まれて、イオン風吹出穴１２３（図３及び図４参照）から空気とともに放出される。すなわち、美肌装置１０１は、後に詳述する各種スイッチ及びボタンの位置又は状態（換言すれば、ユーザに設定されたモードの種類）に応じて、内部でマイナスイオン及び／又はオゾンを発生し、ファン７の駆動によって、後部開口１ａから空気を吸引しそれを頭ケーシング１２１にあるイオン風吹出穴１２３から噴出すことで、美肌装置１０１の美肌ローラ１１３が通過する又は通過した肌上の領域に、マイナスイオン及び／又はオゾンが含まれたイオン風を吹き当てる。なお、オゾンおよびマイナスイオンの量は、例えば、１ｃｍ2当りマイナスイオン100万個以上、オゾン0.004〜0.006PPMである。
【００５７】
美肌装置１０１は、このような構成の下で、以下のような態様で駆動する。
【００５８】
すなわち、美肌装置１０１は、イオン電極２７からマイナスイオンを発生している場合、図３に示したイオン発生ランプ１１７を点灯し、マイナスイオンを発生していない場合、イオン発生ランプ１１７を消灯している（また、例えば、マイナスイオンの発生処理に異常が生じたときには、イオン発生ランプ１１７を点滅しても良い）。また、美肌装置１０１が提供可能なイオン風の風量レベルは、例えば３段階あり（もちろん３段階に限られずそれよりも多くても少なくても良い）、美肌装置１０１は、低レベルの風量のときには風量レベルランプ１１５Ａを点灯し、中レベルの風量のときには風量レベルランプ１１５Ｂを点灯し、高レベルの風量のときには風量レベルランプ１１５Ｃを点灯するようになっている。また、美肌装置１０１は、風量調節ボタン１１１Ａが押されたときは、ファン７の回転速度を制御してイオン風の風量のレベルを一段階高くし、風量調節ボタン１１１Ｂが押されたときは、ファン７の回転速度を制御してイオン風の風量のレベルを一段階低くする。また、美肌装置１０１は、風温切替スイッチ２０９が上にスライドされたときに、ヒーター部８から熱を発して風を比較的温かいものにし、風温切替スイッチ２０９が下にスライドされたときに、ヒーター部８から発熱せずそれにより風を比較的冷たいものにするようになっている。また、美肌装置１０１は、電源スイッチ１０９が上にスライドされたときに電源をターンオフし、電源スイッチ１０９が下にスライドされたときに電源をターンオンするようになっている。また、美肌装置１０１は、エステティックモードボタン２１１が押されたときは、ユーザにとって最も快適であろう態様で肌に作用するエステティックモードを実行する。エステティックモードでは、例えば、風温及び風量が制御される、具体例としては、比較的冷たい風にされ（つまり冷風にされ）、風量のレベルは中レベル（又は低レベル）にされる。
【００５９】
以上、上述した第１実施例によれば、美肌ローラ１１３が通過する又は通過した肌上の領域に、マイナスイオンが含まれたイオン風が吹き当てられる。これにより、美肌ローラ１１３による血行促進と共に、イオン風の吹き当てによる血行促進や細胞の活性化等が行われ、従来よりも高い美肌効果を奏することができる。
【００６０】
ところで、上記第１実施例において、美肌ローラ１１３の構成について幾つか考えられるが、上記第１実施例が奏する美肌効果をより高いものにするためには、美肌ローラ１１３が例えば以下の（１）〜（３）のいずれかのように構成されると良い。
【００６１】
（１）美肌ローラ１１３（例えば、少なくとも、美肌ローラ１１３の、肌に接触する外周表面）が、遠赤外線を発するセラミックス（例えば、酸化鉄セラミックス、以下、「遠赤外線セラミックス」と言う）で構成される。遠赤外線セラミックスで構成された美肌ローラ１１３を肌に押し当てつつ転がせば、遠赤外線セラミックスから発する遠赤外線が肌に作用して特有の効果（例えば、細胞の活性化、保温効果など）を奏する。従って、美肌ローラ１１３の押し当てや、イオン風の吹き当ての他に、遠赤外線の肌への作用によって、より高い美肌効果が図れる。
【００６２】
なお、これの変形例として、上記の遠赤外線セラミックスには、粉状又は固形状のトルマリン及びゲルマニウムの少なくとも一方が含まれても良い。また、遠赤外線セラミックスには、所定量の（例えば微量の）電気が流れる物質（例えば金属）が含まれていても良いし、磁力を発する粉状又は固形状の物質（例えば永久磁石）が含まれていても良い。また、回転軸１０３が、遠赤外線セラミックス、トルマリン、ゲルマニウム、金属及び磁性体の少なくとも一つが含まれた部材から成っていても良い。
【００６３】
（２）美肌ローラ１１３（例えば、少なくとも、美肌ローラ１１３の、肌に接触する外周表面）が、トルマリンが含まれた部材（以下、「トルマリン含有部材」と言う）、例えば、粉状のトルマリンが含まれた樹脂（一例を言えば、シリコンゴム）で構成される。トルマリン含有部材で構成された美肌ローラ１１３を肌に押し当てつつ転がせば、トルマリンが肌に作用してトルマリン特有の効果（例えば、遠赤外線を発して新陳代謝を促進する等）を奏する。従って、美肌ローラ１１３の押し当てや、イオン風の吹き当ての他に、トルマリンの肌への作用によって、より高い美肌効果が図れる。
【００６４】
なお、これの変形例として、上記のトルマリン含有部材には、粉状又は固形状の遠赤外線セラミックス及びゲルマニウムの少なくとも一方が含まれても良い。また、トルマリン含有部材には、所定量の（例えば微量の）電気（例えば、トルマリンと同程度である０．０６ミリアンペアの電気）が流れるトルマリンとは別の物質が含まれていても良いし、磁力を発する粉状又は固形状の物質（例えば永久磁石）が含まれていても良い。また、回転軸１０３が、遠赤外線セラミックス、トルマリン、ゲルマニウム、金属及び磁性体の少なくとも一つが含まれた部材から成っていても良い。
【００６５】
（３）美肌ローラ１１３（例えば、少なくとも、美肌ローラ１１３の、肌に接触する外周表面）が、ゲルマニウムが含まれた部材（以下、「ゲルマニウム含有部材」と言う）、例えば、ゲルマニウムが混入した金属で構成される。ゲルマニウム含有部材で構成された美肌ローラ１１３を肌に押し当てつつ転がせば、ゲルマニウムが肌に作用してゲルマニウム特有の効果（例えば、独特の電子特性による血行促進等）を奏する。従って、美肌ローラ１１３の押し当てや、イオン風の吹き当ての他に、ゲルマニウムの肌への作用によって、より高い美肌効果が図れる。
【００６６】
なお、これの変形例として、上記のゲルマニウム含有部材には、粉状又は固形状の遠赤外線セラミックス及びゲルマニウムの少なくとも一方が含まれても良い。また、トルマリン含有部材には、所定量の（例えば微量の）電気（例えば、トルマリンと同程度である０．０６ミリアンペアの電気）が流れるトルマリンとは別の物質が含まれていも良いし、磁力を発する粉状又は固形状の物質（例えば永久磁石）が含まれていても良い。また、回転軸１０３が、遠赤外線セラミックス、トルマリン、ゲルマニウム、金属及び磁性体の少なくとも一つが含まれた部材から成っていても良い。
【００６７】
ところで、上記第１実施例には、幾つかの変形例が考えられる。
【００６８】
例えば、美肌装置１０１は、発生するマイナスイオンの個数を制御できでも良いし、ヒーター部８から発生する熱量を制御することによって吹き出る風の温度を制御できても良い。
【００６９】
また、例えば、美肌ローラ１１３は、表面が滑らからな円筒に限らず、他の形状をしていても良い。例えば、表面にざらつきがある或いは１又は複数の突起物がある円筒であっても良いし、円筒に限らず、球などの曲面を有した別の形状をしていても良い。
【００７０】
また、例えば、美肌ローラ１１３は、必ずしも転がらずに固定されていても良い。
【００７１】
また、例えば、美肌装置１０１は、美肌ローラ１１３が押し当てられたか否かを検出する機構を有し（例えば、美肌ローラ１１３が押し当てられたときに、該ローラ１１３の接触面と反対方向に回転軸１０３が上がり、それによって押されるスイッチを有し）、美肌ローラ１１３が押し当てられたことが検出されたときに、イオン風を吹き出すようになっていても良い。
【００７２】
また、例えば、頭ケーシング１２１が取り外された後に、それに代えて、別の形状をした別の頭ケーシングを装着することができても良い。別の頭ケーシングとしては、例えば、別の部材から成っている又は別の形状をした別の美肌ローラを有するものであっても良いし、美肌ローラを有さずに風吹出穴のみを有したものであっても良いし、風吹出穴を有するブラシであっても良い。
【００７３】
また、例えば、美肌ローラ１１３が頭ケーシング１２１に対して着脱自在になっており、その美肌ローラ１１３に代えて、別の部材から成っている又は別の形状をした別の美肌ローラが頭ケーシング１２１に装着可能であっても良い。
【００７４】
また、例えば、美肌ローラ１１３が、電気が流れることによって磁気を帯びる等の、特定の作用が施されることによってより美肌効果を高めることができるようになっている場合には、エステティックモードボタン２１１が押されたときに、美肌ローラ１１３に対して上記特定の作用が施されても良い。
【００７５】
また、例えば、イオン風吹出穴１２３は、幅広の口に限らず、口径の小さな１又は複数の穴又は溝であっても良い。また、イオン風吹出穴は、美肌ローラの肌の所望箇所に接して押し当てられる接触面のあらゆる領域がその所望箇所に接することを妨げないような位置に又は形状で設けられていても良い。また、イオン風吹出穴は、美肌ローラの肌との接触面の外周縁に沿って、実質的全周にわたって設けられていても良いし、その接触面の領域内に設けられていても良い（すなわち、美肌ローラ自体が１又は複数のイオン風吹出穴を有していても良い）。具体的には、例えば、イオン風吹出穴１２３は、（１）前記肌押し当て部の前記肌に接して押し当てられる接触面の外周縁に沿って、実質的全周にわたって設けられている、又は（２）前記肌押し当て部の前記接触面の縁に沿って実質的に全幅にわたって設けられており、頭ケーシング１２１のイオン風吹出穴１２３を有する面が、肌に押し当てられた前記肌押し当て部がその肌に沿って良好に滑ることができるように、前記接触面に対して斜めになっている。
【００７６】
また、例えば、オゾン電極はなくても良い（つまり、オゾンは、必ずしも発生しなくて尾も良い）。
【００７７】
また、例えば、エステティックモードでは、風量や風温に限らず、発生するマイナスイオンの数など、種々の肌への作用事項が制御されても良い（例えば、エステティックモードでは、通常よりもマイナスイオンをたくさん発生しても良い）。
【００７８】
また、例えば、美肌装置は、上述したように、体ケーシング１から頭ケーシング１２１を取り外し、代わりに、ドライヤとして利用可能な形状をしたドライヤ用頭ケーシング（例えば、風吹出穴のみを有するケーシング）を体ケーシング１に取り付けることにより、ドライヤとしても使用可能である。また、その美肌装置は、例えば、ドライヤ用モードを有しており、ドライヤ用モードでは、所定の通常風量で温風の半分の温度（例えば、消費電力が所定消費電力（例えば５００Ｗ）の半分（例えば２５０Ｗ））の風を送風し（マイナスイオンは含まれていてもいなくても良い）、上記エステティックモードでは、冷風で通常風量の半分の風量の風を送風しても良い。
【００７９】
また、例えば、イオン風吹出穴１２３から吹き出る風はイオン風に限られない。例えば、マイナスイオン又はオゾンが含まれていない単なる風であっても良いし、オゾンのみが含まれた風であっても良い。風の種類は、美肌装置の利用態様（例えば、美肌のために利用するか、或いはドライヤとして利用するか）に応じて適宜に変えられても良い。
【実施例２】
【００８０】
以下、本発明の第２実施例について説明する。
【００８１】
この第２実施例は、本発明に関わる技術が応用された除毛装置に関するものである。この第２実施例での説明は、美肌装置ではなく主に除毛装置についての説明となるが、この第２実施例の説明で特に重要なのは、本装置が作用する体表領域（例えば、美肌装置の接触面が接触する直前、接触している最中、又は接触した直後の肌領域）に対し、マイナスイオン（或るいはオゾン）を含んだ風（以下、イオン風）をどのように吹き当てるかである。従って、除毛装置の説明とはなるが、この第２実施例における、上記体表領域に対するイオン風の吹当て機構を美肌装置やその他のトリートメント装置に応用することは、当業者であれば可能である。
【００８２】
図８は、本発明の第２実施例の第１サブ実施例に係る除毛装置の全体構成を示す説明図である。
【００８３】
上記除毛装置は、図８に示すように、装置本体を構成するケーシング（以下、「框体」という）１００１と、框体１に内蔵される制御用ユニット１００３と、負イオン発生器１００５と、剃毛機構（又は、脱毛機構）（以下では、説明の都合上「剃毛機構」とする）１００７とを備える。
【００８４】
制御用ユニット１００３は、框体１００１の内部空間の２／３以上を占める大きさを有しており、図示のように、框体１００１の内部空間の左寄りの部位に配置されている。制御用ユニット１００３には、剃毛機構１００７を構成する各部、及び剃毛機構１００７と共に框体１００１の内部空間に配置されているファン（図示しない）に連繋するファンモータ（図示しない）を駆動するための駆動回路や、該駆動回路、及び制御用ユニット１００３に隣接した状態で框体１００１の内部空間に配置されている負イオン発生器１００５に給電するための電源回路や、剃毛機構１００７を構成する各部、駆動回路等を制御する演算処理部等が含まれる。剃毛機構１００７は、図８の右端側に位置する框体１００１の開口部に対して着脱自在に構成されている。
【００８５】
框体１００１には、負イオン発生器１００５の配置位置に対応する部位に、複数個の空気吸入口１００１ａ、１００１ｂ、１００１ｃ、１００１ｄが形成されている。
【００８６】
図９は、図８に記載した負イオン発生器１００５に内蔵される、負イオンが発生可能な程度の高さの交流電圧を供給するための高電圧供給部の回路構成を示すブロック図である。
【００８７】
この高電圧供給部は、図９に示すように、図８において説明した電源回路を構成する電源ユニット１００９と、該電源ユニット１００９からの給電を受ける高電圧発生回路１０１１とから成る。高電圧発生回路１０１１で生成された交流の高電圧は、高電圧発生回路１０１１と共に負イオン発生器１００５を構成するイオン電極１０１３に印加される。これにより、イオン電極１０１３において負イオンと共に極めて微量のオゾンが生成される。なお、高電圧発生回路１０１１は、例えば圧電（ピエゾ）素子、或いは昇圧コイル等を含む。
【００８８】
上記構成において、剃毛機構１００７が駆動されて、例えばユーザの顔面に生えている髭が剃り落とされると、負イオン発生器１００５において生成された負イオン、及び極めて微量のオゾンが、ファンの駆動により空気吸入口１００１ａ、１００１ｂ、１００１ｃ、１００１ｄから框体１００１内に流入する空気流によって、上記髭の剃り落とされた部位に向けて吹き付けられる。そのため、該部位における所謂髭剃り負けの解消を図ることができるのみならず、該部位に存在している雑菌等の殺菌効果も期待できるという利点がある。
【００８９】
なお、剃毛機構１００７に代えて脱毛機構を、着脱自在に框体１００１に装着して、脱毛を行った場合にも、脱毛を施した部位における毛穴の赤味の解消を図ることが可能であると共に、殺菌効果も期待できるという利点がある。
【００９０】
上記第１サブ実施例では、剃毛機構１００７、及び脱毛機構の双方共に、框体１００１に対して着脱自在な構成として説明したが、剃毛機構１００７、又は脱毛機構の何れか一方が、予め框体１００１に対して一体的に構成され、他の機構が框体１００１に対して着脱自在な構成である除毛装置も想到され得る。
【００９１】
図１０は、第２実施例の第２サブ実施例に係る除毛装置の全体構成を示す説明図である。
【００９２】
本サブ実施例では、図１０に示すように、負イオン発生器１０１５が、框体１００１の外周面に設けられた負イオン発生器取付部１０１７に対して、着脱自在に取付固定される。負イオン発生器取付部１７には、上記負イオン発生器１０１５を所定の取付位置へと導くための１対の案内軌条（図示しない）が、負イオン発生器取付部１０１７に対して着脱自在に取付けられている。更に、負イオン発生器取付部１７における適宜な部位には、上記1対の案内軌条（図示しない）によって負イオン発生器取付部１０１７における所定位置へと案内されて位置決めされた負イオン発生器１０１５のイオン風吹出し口１０１５ａの位置と一致するように、イオン風導入口１０１７ａが形成されている。
【００９３】
残りの構成については、図８、及び図９で説明した第1サブ実施例と略同様である。
【００９４】
上記構成によれば、除毛装置の携帯時には、剃毛機構１００７（又は脱毛機構）と共に負イオン発生器１０１５をも框体１００１から取り外して別々に携行することが可能であるので、携帯時における上記装置の嵩張りを解消することができる。また、負イオン発生器１５を、負イオン発生器取付部１０１７における所定の取付位置へ手早く取付けることができる上に、負イオン発生器１０１５を、負イオン発生器取付部１０１７における所定位置に取付固定するだけで、負イオン発生器１０１５のイオン風吹出し口１０１５ａの位置を、イオン風導入口１０１７ａの位置に一致させることができる。従って、負イオン発生器１０１５のイオン風吹出し口１０１５ａの位置を、イオン風導入口１０１７ａの位置に一致させるための調整を行う必要はない。
【００９５】
なお、図１０において、符号１００１ａ、１００１ｂ、１００１ｃ、１００１ｄは、図８で示したのと同様、いずれも空気吸入口である。
【００９６】
図１１は、第2実施例の第３サブ実施例に係る除毛装置の全体構成を示す説明図である。
【００９７】
本サブ実施例では、制御用ユニット１０１９に、上述した駆動回路、電源回路、演算処理部等に加えて、更に、図９で示した高電圧発生回路１０１１をも含ませた点を主な特徴とする。
【００９８】
残りの構成については、図８、及び図９で説明した第１サブ実施例と略同様である。
【００９９】
上記構成において、剃毛機構１００７が駆動されて、例えばユーザの顔面に生えている髭が剃り落とされると、イオン電極１０２１を介して放出される負イオン、及び極めて微量のオゾンが、ファン２３の駆動により空気吸入口１０２５ａ〜１０２５ｈから框体１０２５内に流入する空気流によって、上記髭の剃り落とされた部位に向けて吹き付けられる。そのため、第１サブ実施例におけると同様に、該部位における所謂髭剃り負けの解消を図ることができるのみならず、該部位に存在している雑菌等の殺菌効果も期待できるという利点がある。
【０１００】
図１２は、第４サブ実施例に係る除毛装置の要部構成を示す説明図である。
【０１０１】
本サブ実施例では、框体１０２７における剃毛機構１００７（又は、脱毛機構）が着脱自在に装着される部位の外周に、上述した負イオン発生器からのイオン風を、ユーザの顔面における剃毛機構１００７によって剃毛された部位に集中的に吹き付けられるように、イオン風ガイド用の筒体（又は枠体）（以下では、説明の都合上、「イオン風ガイド用筒体」とする）１０２９を着脱自在に取付けた点を、主な特徴とする。
【０１０２】
残りの構成については、図８、及び図９で説明した第１サブ実施例、或いは、図１１で説明した第3サブ実施例と略同様である。
【０１０３】
上記構成によれば、剃毛機構１００７によって剃毛が施されるのと並行して、ユーザの顔面等における剃毛が施された部位に、イオン風ガイド用筒体１０２９によって、上述したイオン電極から放出される負イオンや、極めて微量のオゾンを含んだイオン風が集中的に供給されるため、上記剃毛が施された部位及びその近傍（或いは脱毛が施された部位及びその近傍）における雑菌を減らしそこが炎症してしまう虞を低減することができる。
【０１０４】
図１３は、第５サブ実施例に係る除毛装置が備える負イオン発生器の基板に配置されている高電圧発生回路の回路構成図である。
【０１０５】
図１３において、商用電源から高電圧発生回路Ｓrの入力端子Ｅ1、Ｅ2に印加される交流電圧の極性が『正』のとき、商用電源からの電流は、入力端子Ｅ1から抵抗Ｒ1、ダイオードＤ1を通じて直列共振回路を形成するコンデンサＣ、及びトランスＴの一次側巻線を流れ、更にダイオードＤ2、及び入力端子Ｅ2を通じて商用電源へ戻る。つまり、コンデンサＣへの充電が行われる。
【０１０６】
一方、上記交流電圧の極性が『負』のときには、商用電源からの電流は、入力端子Ｅ2から抵抗Ｒ1よりも抵抗値がかなり大きい素子である抵抗Ｒ2を通じて制御整流素子ＳＣＲのゲート端子にゲート電流として流入する。これにより、制御整流素子ＳＣＲがターンオン（導通）することとなるので、コンデンサＣからの電流が、制御整流素子ＳＣＲを通じてトランスＴの一次巻線側を通ってコンデンサＣに流れる。つまり、コンデンサＣに蓄積されている電荷の、トランスＴの一次巻線側への放電が行われる。
【０１０７】
換言すれば、商用電源から入力端子Ｅ1、Ｅ2を通じて印加される交流電圧が、ダイオードＤ1、Ｄ2で半波整流されることにより、コンデンサＣへの充電と、制御整流素子ＳＣＲの導通によるコンデンサＣからトランスＴの一次側巻線への放電（コンデンサＣとトランスＴの一次側巻線との間での電気エネルギーの授受）とが繰り返される。これにより、上記充放電のタイミングに応じて、トランスＴの一次側巻線に比較的高周波の交流電圧が印加されることになるから、結果として、トランスＴの二次側巻線に負イオンが発生可能な程度の高電圧が誘起され、この高電圧がトランスＴの二次側巻線の出力端子からイオン電極に印加されることになる。
【０１０８】
ところで、上述した第１〜第６サブ実施例では以下のような変形例が考えられる。
【０１０９】
例えば、上述した各框体（１００１、１０２５、１０２７）の断面形状は円形状でも、楕円形状でも良いし、或いは矩形状でも差支えない。更には、ユーザが手で把持し易くするために、框体（１００１、１０２５、１０２７）の外周部における適宜な箇所に相応の窪みを設けることも想到し得る。
【０１１０】
更に、例えば、制御用ユニットに含まれる電源回路への給電についても、図１３で示した高電圧発生回路におけるように、専用のアダプタを用いて商用電源から行っても良いし、或いは、乾電池或いは蓄電池を用いて行っても良い。
【０１１１】
さて、図１４は、第８サブ実施例に係る除毛装置の斜視図であり、図１５は、その除毛装置のＡ−Ａ方向の断面図である。なお、図１４、１５は、この除毛装置の機能を説明するための図であり、各構成要素の寸法関係は必ずしも正確ではない。これは、他の図面についても同様である。以下、図１４及び図１５の両図を用いて第７サブ実施例について説明する。
【０１１２】
第７サブ実施例に係る除毛装置１０５１は、剃毛部１０５５と、風吹出口部材１０５３Ｂと、ケーシング１０５３Ａとを備えている。
【０１１３】
剃毛部１０５５（美肌ローラと置き換えることもできる）は、後述するように、風吹出口部材１０５３Ｂに対して着脱自在であり、イオン風吹出口部材１０５３Ｂから取り外して水洗い又はアルコール洗浄可能な構成になっている。この剃毛部１０５５は風吹出口部材１０５３Ｂの上部に装着できるような形状を皮膚又は体毛に直接接触して剃毛するための作用面（この実施形態では網刃）及び図示しない内刃を有する剃毛機構１０６１と、剃毛機構１０６１を駆動して剃毛を行うための駆動部１１０３とを有する。作用面の中央には、幅方向（図１５で言えば紙面を表裏に直交する方向）に沿って、体毛を起こして剃毛し易くするための体毛起こし部材１０６１Ａが備えられている。この剃毛部１０５５は、ケーシング１０５１に装着されているイオン風吹出口部材１０５３Ｂに装着されたときに、ケーシング１０５１内の後述する電源回路１１０１に電気的に接続されるようになっている。
【０１１４】
風吹出口部材１０５３Ｂ（美肌ローラを搭載した頭ケーシングと置き換えることもできる）は、後述するように、ケーシング１０５３Ａに対して着脱自在に構成されている。また、風吹出口部材１０５３Ｂは、剃毛部１０５５が装着（例えば嵌合）できるような形状をしており、先端部分に、後述するように、ファン１３００の駆動によって生成された風を吹出すための２つの風吹出穴１０７１を有し、この除毛装置１０５１内には、各風吹出穴１０７１、１０７１からケーシング１０５３Ａの下方にわたって、風の通路となる空間（以下、「風通路」と言う）１０７２、１０７２が設けられている。この実施形態では、各風吹出穴１０７１、１０７１は、細長い穴であり、剃毛機構１０６１の作用面（網刃）の幅方向の縁に沿って実質的に全幅にわたって設けられている（すなわち、この実施形態では、剃毛機構１０６１の作用面の両側に幅方向に沿って風吹出穴１０７１、１０７１が設けられている）。また、この実施形態では、風吹出口部材１０５３Ｂにおいて、風吹出穴１０７１、１０７１を有する先端部分は、剃毛機構１０６１の作用面のあらゆる領域が皮膚又は体毛に接することを妨げないような形状になっている、具体的には、例えば、図示のように、実質的に作用面に沿って斜めに切られた形状になっている。
【０１１５】
ケーシング１０５３Ａの形状は、握りやすいように、下部よりも中央部又は上部の断面積の方が狭い形状をしている。また、ケーシング１０５３Ａは、風吹出口部材１０５３Ｂが着脱自在になるように構成されている。このケーシング１０５３Ａの外面には、図１４に示すように、後述する複数のトリートメントモードのうちのユーザ所望のトリートメントモードを選択的に切り替えるためのモード切替スイッチ１０７５Ａと、風量を実質的にユーザ所望の風量に制御するための風量制御スイッチ１０７５Ｂと、風吹出穴１０７１、１０７１から吹き出る風の温かさを実質的にユーザ所望の温かさに制御するための風温制御スイッチ１０７５Ｃとが設けられている。ケーシング１０５３Ａの底面には、図１５に示すように、所定の形状（例えば、網状、口状、溝状、又は環状等）の１又は複数の空気吸入穴１０７３が設けられている。
【０１１６】
ケーシング１０５３Ａの内部には、マイナスイオンを発生する１又は複数（例えば２つ）のマイナスイオン発生部（例えばマイナスイオン電極）１０５７Ａ、１０５７Ｂと、生成された風を温風にするための１又は複数（例えば２つ）のヒータ１０５８Ａ、１０５８Ｂと、オゾンを発生するための１又は複数（例えば２つ）のオゾン発生部（例えばオゾン電極）１０５２Ａ、１０５２Ｂとが備えられている。また、ケーシング１０５３Ａの内部には、風を生成するためのファン１３００と、駆動部１１０３、マイナスイオン発生部１０５７Ａ、１０５７Ｂ、ヒータ１０５８Ａ、１０５８Ｂ、オゾン発生部１０５２Ａ、１０５２Ｂ及びファン１３００への給電及びそれの制御を行う電源回路１１０１とが備えられている。
【０１１７】
マイナスイオン発生部１０５７Ａ、１０５７Ｂ、ヒータ１０５８Ａ、１０５８Ｂ、オゾン発生部１０５２Ａ、１０５２Ｂは、ファン１３００の駆動によってケーシング１０５３Ａ底面の空気吸入穴１０７３から取り込まれて風吹出穴１０７１、１０７１へ送り出される空気の通路上に設けられている。
【０１１８】
電源回路１１０１は、図１４に示したモード切替スイッチ１０７５Ａ、風量制御スイッチ１０７５Ｂ及び風温制御スイッチ１０７５Ｃの位置に応じて、換言すれば、（１）実行可能な複数のトリートメントモードの中からユーザに選択されたトリートメントモード、（２）吹き付け可能な風量の中からユーザに指定された風量、（３）温風か冷風かの（１）〜（３）に応じて、駆動部１１０３、マイナスイオン発生部１０５７Ａ、１０５７Ｂ、ヒータ１０５８Ａ、１０５８Ｂ、オゾン発生部１０５２Ａ、１０５２Ｂ及びファン１３００への給電を制御する。
【０１１９】
例えば、電源回路１１０１は、モード切替スイッチ１０７５Ａが第１の位置に移動させられた場合は、この除毛装置１０５１の電源をオフ状態にする。
【０１２０】
電源回路１１０１は、モード切替スイッチ１０７５Ａが第２の位置に移動させられた場合は、イオン風モードを実行する。具体的に言うと、電源回路１１０１は、ファン１３００及びマイナスイオン発生部１０５７Ａ、１０５７Ｂへ給電してそれらを駆動する。それにより、イオン発生部１０５７Ａ、１０５７Ｂにおいてマイナスイオンが発生すると共に、ケーシング１０５３Ａ底面の空気吸入穴１０７３、１０７３から空気が取り込まれて、その空気が、マイナスイオン発生部１０５７Ａ、１０５７Ｂで発生したマイナスイオンを含んで、風吹出口部材１０５３Ｂ内の風通路風１０７２、１０７２を通って風吹出穴１０７１、１０７１から送り出される。つまり、イオン風モードでは、点線で例示したように、風吹出口部材５３Ｂ先端の風吹出穴１０７１、１０７１から、マイナスイオンが含まれたイオン風が吹き出る。なお、オゾンおよびマイナスイオンの量は、例えば、１ｃｍ2当りマイナスイオン100万個以上、オゾン0.004〜0.006PPMである。
【０１２１】
電源回路１１０１は、モード切替スイッチ１０７５が第３の位置に移動させられた場合は、オゾン風モードを実行する。具体的に言うと、電源回路１１０１は、ファン１３００及びオゾン発生部１０５２Ａ、１０５２Ｂへ給電してそれらを駆動する。それにより、イオン発生部１０５２Ａ、１０５２Ｂにおいてオゾン（例えば微量のオゾン）が発生すると共に、ケーシング１０５３Ａ底面の空気吸入穴１０７３、１０７３から空気が取り込まれて、その空気が、オゾン発生部１０５２Ａ、１０５２Ｂで発生したオゾンを含んで、風吹出口部材１０５３Ｂ内の風通路風１０７２、１０７２を通って風吹出穴１０７１、１０７１から送り出される。つまり、オゾン冷風モードでは、点線で例示したように、風吹出口部材１０５３Ｂ先端の風吹出穴１０７１、１０７１から、オゾンが含まれたオゾン風が吹き出る。
【０１２２】
電源回路１１０１は、モード切替スイッチ７５が第４の位置に移動させられた場合は、イオン・オゾン風モードを実行する。具体的に言うと、電源回路１１０１は、ファン１３００、マイナスイオン発生部１０５７Ａ、１０５７Ｂ及びオゾン発生部１０５２Ａ、１０５２Ｂへ給電してそれらを駆動する。それにより、イオン発生部１０５７Ａ、１０５７Ｂにおいてマイナスイオンが発生し、オゾン発生部１０５２Ａ、１０５２Ｂにおいてオゾンが発生すると共に、ケーシング１０５３Ａ底面の空気吸入穴１０７３、１０７３から空気が取り込まれて、その空気が、オゾン発生部１０５２Ａ、１０５２Ｂで発生したオゾンと、マイナスイオン発生部１０５７Ａ、１０５７Ｂで発生したマイナスイオンとを含んで、風吹出口部材１０５３Ｂ内の風通路風１０７２、１０７２を通って風吹出穴１０７１、１０７１から送り出される。つまり、イオン・オゾン風モードでは、点線で例示したように、風吹出口部材１０５３Ｂ先端の風吹出穴１０７１、１０７１から、マイナスイオン及びオゾンが含まれたイオン・オゾン風が吹き出る。
【０１２３】
電源回路１１０１は、モード切替スイッチ７５が第５の位置に移動させられた場合は、剃毛イオン風モードを実行する。具体的に言うと、電源回路１１０１は、剃毛部５５の駆動部１１０３、ファン１３００及びマイナスイオン発生部１０５７Ａ、１０５７Ｂへ給電してそれらを駆動する。それにより、剃毛機構が駆動し、且つ、イオン発生部１０５７Ａ、１０５７Ｂにおいてマイナスイオンが発生すると共に、ケーシング１０５３Ａ底面の空気吸入穴１０７３、１０７３から空気が取り込まれて、その空気が、上記発生したマイナスイオンを含んで、風吹出口部材１０５３Ｂ内の風通路風１０７２、１０７２を通って風吹出穴１０７１、１０７１から送り出される。つまり、剃毛イオン風モードでは、剃毛機構の作用面を皮膚又は体毛に接触させることによりユーザ所望の体毛が剃られ、且つ、点線で例示したように、風吹出口部材１０５３Ｂ先端の風吹出穴１０７１、１０７１から、マイナスイオンが含まれたイオン風が吹き出る。その際、例えば、幅方向を横切る方向に沿って除毛装置１０５１を動かして剃毛すれば、剃毛の直前及び直後に、剃毛機構の作用面が接触する及び接触した皮膚又は体毛にイオン風が吹き当たる。
【０１２４】
電源回路１１０１は、モード切替スイッチ７５が第６の位置に移動させられた場合は、剃毛オゾン風モードを実行する。具体的に言うと、電源回路１１０１は、剃毛部１０５５の駆動部１１０３、ファン１３００及びオゾン発生部１０５２Ａ、１０５２Ｂへ給電してそれらを駆動する。それにより、剃毛機構が駆動し、且つ、オゾン発生部１０５２Ａ、１０５２Ｂにおいてオゾンが発生すると共に、ケーシング５３Ａ底面の空気吸入穴１０７３、１０７３から空気が取り込まれて、その空気が、上記発生したオゾンを含んで、風吹出口部材１０５３Ｂ内の風通路風１０７２、１０７２を通って風吹出穴１０７１、１０７１から送り出される。つまり、剃毛オゾン風モードでは、剃毛機構の作用面を皮膚又は体毛に接触させることによりユーザ所望の体毛が剃られ、且つ、点線で例示したように、風吹出口部材５３Ｂ先端の風吹出穴１０７１、１０７１から、オゾンが含まれたオゾン風が吹き出る。その際、例えば、幅方向を横切る方向に沿って除毛装置１０５１を動かして剃毛すれば、剃毛の直前及び直後に、剃毛機構の作用面が接触する及び接触した皮膚又は体毛にオゾン風が吹き当たる。
【０１２５】
電源回路１１０１は、モード切替スイッチ１０７５が第７の位置に移動させられた場合は、剃毛イオン・オゾン風モードを実行する。具体的に言うと、電源回路１１０１は、駆動部１１０３、ファン１３００、マイナスイオン発生部１０５７Ａ、１０５７Ｂ及びオゾン発生部１０５２Ａ、１０５２Ｂへ給電してそれらを駆動する。それにより、剃毛機構が駆動し、イオン発生部１０５７Ａ、１０５７Ｂにおいてマイナスイオンが発生し、オゾン発生部１０５２Ａ、１０５２Ｂにおいてオゾンが発生すると共に、ケーシング１０５３Ａ底面の空気吸入穴１０７３、１０７３から空気が取り込まれて、その空気が、オゾン発生部１０５２Ａ、１０５２Ｂで発生したオゾンと、マイナスイオン発生部１０５７Ａ、１０５７Ｂで発生したマイナスイオンとを含んで、風吹出口部材１０５３Ｂ内の風通路風１０７２、１０７２を通って風吹出穴１０７１、１０７１から送り出される。つまり、剃毛イオン・オゾン風モードでは、剃毛オゾン風モードでは、剃毛機構の作用面を皮膚又は体毛に接触させることによりユーザ所望の体毛が剃られ、且つ、点線で例示したように、風吹出口部材１０５３Ｂ先端の風吹出穴１０７１、１０７１から、マイナスイオン及びオゾンが含まれたイオン・オゾン風が吹き出る。その際、例えば、幅方向を横切る方向に沿って除毛装置１０５１を動かして剃毛すれば、剃毛の直前及び直後に、剃毛機構の作用面が接触する及び接触した皮膚又は体毛にイオン・オゾン風が吹き当たる。
【０１２６】
電源回路１１０１は、モード切替スイッチ１０７５が第８の位置に移動させられた場合は、剃毛モードを実行する。具体的に言うと、電源回路１１０１は、ファン１３００を駆動せずに駆動部１１０３のみを駆動する。それにより、剃毛機構の作用面が接触する又は接触した皮膚又は体毛に風が吹き当てらない通常の剃毛が行われる。
【０１２７】
以上のように、電源回路１１０１は、モード切替スイッチ１０７５Ａの位置に応じて、駆動部１１０３、マイナスイオン発生部１０５７Ａ、１０５７Ｂ、ヒータ１０５８Ａ、１０５８Ｂ、オゾン発生部１０５２Ａ、１０５２Ｂ及びファン１３００への給電を制御する。なお、その際、電源回路１１０１は、風量制御スイッチ１０７５Ｂの位置に応じて、ファン１３００の回転速度を制御して（例えば段階的に切り替えて）、イオン風、オゾン風、又はイオン・オゾン風の風量を制御する（例えば段階的に切り替える）。また、電源回路１０１は、風温制御スイッチ１０７５Ｃの位置に応じて、ヒータ１０５８Ａ、１０５８Ｂから発生する熱量を制御して（例えば、ヒータ１０５８Ａ、１０５８Ｂへの給電のオン・オフを切り替えて）、イオン風、オゾン風、又はイオン・オゾン風の温かさを制御する（例えば、比較的冷たくするか比較的温かくするかを切り替える）。
【０１２８】
ところで、この除毛装置１０５１は、図１６に示すように、風吹出口部材１０５３Ｂに対して着脱自在となっている剃毛部１０５５を風吹出口部材５３Ｂから取り外し、別の方法で皮膚又は体毛に対してトリートメントする部材を装着することで、剃毛とは異なる別のトリートメント機能を発揮することができる。例えば、図１６に示したように、剃毛部１０５５が取り外された後に、図１７に示すように、脱毛部１０６３が風吹出口部材１０５３Ｂに装着されれば、脱毛を実行することができる。なお、その脱毛部６３は、皮膚又は体毛に直接的に接触して体毛を抜き取るための脱毛機構１０６５と、脱毛機構１０６５を駆動して脱毛を行うための図示しない駆動部とを有している。この脱毛部１０６３を装着した後、モード切替スイッチ１０７５Ａの位置を切り替えることにより、上述した複数のトリートメントモードのうちユーザ所望のトリートメントモードで脱毛を行うことができる。例えば、脱毛イオン風モードを選択すれば、脱毛の直前又は直後に、脱毛機構６５が接触する又は接触した皮膚又は体毛に対してイオン風を吹き当てることができる。その際、風量制御スイッチ１０７５Ｂ及び風温制御スイッチ１０７５Ｃを制御すれば、イオン風の風量及び温かさを調節することができる。
【０１２９】
また、この除毛装置１０５１は、図１８に示すように、ケーシング１０５３Ａに対して着脱自在となっている風吹出口部材１０５３Ｂをケーシング１０５３Ａから取り外し、別の形状をした風吹出口部材を装着することで、剃毛とは異なる別のトリートメント機能を発揮することができる。例えば、図１８に示したように、風吹出口部材５３Ｂがケーシング１０５３Ａから取り外された後に、図１９に示すように、ドライヤー用風吹出口部材５３Ｃがケーシング１０５３Ａに装着されれば、ドライヤーとして機能することができる。なお、そのドライヤー用風吹出口部材１０５３Ｃは、風吹出穴１０６０の大きさは、風の上流側の断面積よりも狭くなっていて、風速を速めることができるようになっている。このドライヤー用風吹出口部材１０５３Ｃを装着した後、モード切替スイッチ１０７５Ａの位置を切り替えることにより、上述した複数のトリートメントモードのうちユーザ所望のトリートメントモードで脱毛を行うことができる。例えば、モード切替スイッチ１０７５が第２の位置に移動させられた場合は、イオン風モードを実行してイオン風を吹出すができるし、モード切替スイッチ１０７５がここで初めて説明する第９の位置に移動させられた場合は、マイナスイオンもオゾンも含まれないただの風を吹出すことができる。もちろん、その際、風量制御スイッチ１０７５Ｂ及び風温制御スイッチ７５Ｃを制御すれば、吹出す風の風量及び温かさを調節することができる。
【０１３０】
以上が、第７サブ実施例についての説明である。
【０１３１】
剃毛又は脱毛をすれば、剃毛又は脱毛された箇所で痛みを感じ、またその痛みが残り得る。その痛みを感じるのは、剃毛又は脱毛による刺激でプラスイオンが発生したからである。この第７サブ実施例では（他の実施形態でもそうであるが）、剃毛又は脱毛によって刺激される又は刺激された箇所にマイナスイオンが含まれたイオン風が吹き当てられる。それにより、その刺激によってプラスイオンが発生してもそれを中和し、以って、痛みの発生を未然に抑えたり、もし痛みが発生してもそれを従来よりも小さくしたりすることができる。
【０１３２】
また、この第７サブ実施例では（他の実施形態でもそうであるが）、剃毛又は脱毛によって刺激される又は刺激された箇所にオゾンが含まれたオゾン風が吹き当てられる。それにより、オゾンには殺菌効果があるので、その刺激された箇所若しくはそこを含む領域に存在し得る雑菌を殺し、以って、除毛した部位が炎症してしまう虞を低減することができる。
【０１３３】
なお、この第７サブ実施例では、以下のような変形例が考えられる。
【０１３４】
例えば、第７サブ実施例では、風吹出穴１０７１は、剃毛機構（又は脱毛機構）の作用面の縁に沿って全幅にわたって溝状に設けられているが、他の態様で設けられても良い。例えば、風吹出穴として、剃毛機構（又は脱毛機構）の作用面の全幅又は一部に、方形、真円形、楕円形、又は長円形の口が１又は複数個設けられていても良い。また、風吹出穴は、風の上流側よりも断面積が狭くなっていて、風吹出穴において上流側よりも風速が速められるような形状になっていても良い。また、風吹出穴の断面積が調節可能になっていても良い。また、風吹出穴は、風の吹き出る方向を調節できるようになっていても良い。また、風吹出穴は、剃毛部１０５５（又は脱毛部１０６３）の作用面の外周縁に沿って、実質的全周にわたって設けられていても良い。また、風吹出穴は、剃毛部１０５５（又は脱毛部１０６３）の作用面の領域内に設けられていても良い。
【０１３５】
また、例えば、ファン１３００の形状は、図１５に示したようなプロペラ型に限らず、例えば、ドラム型のファンでも良い。
【０１３６】
また、除毛装置１０５１には、お奨めのトリートメントモード、風量、又は風温、或いはそれらの組み合わせが用意されていて、除毛装置１０５１の肉眼で確認できる場所（例えば、各スイッチ１０７５Ａ〜１０７５Ｃの近傍）に、そのお奨めのトリートメントモード、風量、又は風温、或いはそれらの組み合わせを実行するための各スイッチ７５Ａ〜７５Ｃの位置が表されていても良い。
【０１３７】
また、脱毛部１０６３は、毛を抜き取って脱毛するいわゆる「抜毛」のための脱毛部に限らず、温灸脱毛、電気脱毛、レーザ脱毛など別の方法で脱毛するための脱毛部であっても良い。
【０１３８】
図２０は、第８サブ実施例に係る除毛装置を示す。以下、第７サブ実施例との相違点を重点的に説明し、共通点については説明を省略又は簡略する。
【０１３９】
この除毛装置１２０１は、剃毛部１２５３Ｂがケーシング１２５３Ａに対して着脱自在に成っている。ケーシング１２５３Ａから取り外された剃毛部１２５３Ｂの代わりに、別の方法でトリートメントするトリートメント部（例えば、図１７に示したような脱毛部６３）をケーシング１２５３Ａに装着することにより、除毛装置１２０１は、その別の方法で皮膚又は体毛をトリートメントすることができるようになっている。
【０１４０】
また、この除毛装置１２０１は、上記第７サブ実施例と同様に、ケーシング１２５３Ａの底面に空気吸入穴１２０４を有し、ケーシング１２５３Ａ内に、ヒータ１２０７や、マイナスイオン発生部１２０５や、オゾン発生部１２０３や、ファン１２４０や、それらの各々へ給電する電源回路１２０９を備えている。また、図示しないが、この除毛装置１２０１は、第７サブ実施例と同様に、ケーシング１２５３Ａの外面に、モード切替スイッチ、風量制御スイッチ、及び風温制御スイッチを有していて、各スイッチの位置に応じて、実行可能な２以上のトリートメントモードのうちのユーザ所望のトリートメントモードを実行したり、後述する第１の風出口穴１２１３又は第２の風出口穴１０９３から吹き出る風の風量及び温かさを制御したりするようになっている。
【０１４１】
この除毛装置１２０１は、剃毛部１２５３Ｂの外面の所定位置に、剃毛部１２５３Ｂ内へ風を入れるための第１の風通過穴１２１１を有し、ケーシング１２５３Ａの外面の所定位置に、ファン１２４０の駆動によって生成された風をケーシング１２５３Ａ外へ出すための第２の風通過穴１２１５を有している。
【０１４２】
この除毛装置１２０１は、外表面に風吹出部材１０９５を備えている。その風吹出部材９５は、第７サブ実施例における風吹出部材１０９３とは異なる。以下、その風吹出部材１０９５について具体的に説明する。
【０１４３】
この風吹出部材１０９５は、除毛装置１２０１の外表面に沿って上下に移動可能になっており、その移動路上における複数の特定の位置で止まることができるように構成されている。具体的には、この風吹出部材１０９５は、図２０に示したような下側の特定位置に止まったときには、ファン１２４０の駆動によって生成された風を剃毛部１２５３Ｂ内（又は他のトリートメント部内）に吹き込み、図２１に示したような上側の特定位置に止まったときには、その風を剃毛部１２５３Ｂの作用面の近傍に吹出すように構成されている。別の言い方をすれば、風吹出部材１０９５は、剃毛部１２５３Ｂの作用面のあらゆる領域が皮膚又は体毛に接することを妨げないような下側の特定位置に移動することができるようになっている。また、風吹出部材１９５は、その先端が、上側の特定位置に移動したときに剃毛部１２５３Ｂの作用面のあらゆる領域が皮膚又は体毛に接することを妨げないように実質的にその作用面に沿って斜めに切られている。
【０１４４】
風吹出部材１０９５は、この風吹出部材１０９５内に風を入れるための第１の風入口穴１２１９と、第１の風入口穴１２１９から入った風を剃毛部１２５３Ｂ内（又は他のトリートメント部内）へ出すための第１の風出口穴１２１３と、第１の風入口穴１２１９から入った風が第１の風出口穴１２１３から出るための風の通路となる第１の風通路１３０１とを有している。図９０に示すように、風吹出部材１０９５が下側の特定位置に止まったときは、第１の風入口穴１２１９が、ケーシング１２５３Ａに設けられている第２の風通過穴１２１５から出た風を第１の風通路１３０１内に導くことができるような位置に来るようになっており、第１の風出口穴１２１３が、除毛部１２５３Ｂに設けられている第１の風通過穴１２１１を介して除毛部１２５３Ｂ内へ風を吹出すことができるような位置に来るようになっている。
【０１４５】
また、風吹出部材１０９５は、この風吹出部材１０９５内に風を入れるための第２の風入口穴１２１７と、第２の風入口穴１２１７から入った風を剃毛部１２５３Ｂの作用面の近傍へ吹き出すための第２の風出口穴１０９３と、第２の風入口穴１２１７から入った風が第２の風出口穴１０９３から出るための風の通路となる第２の風通路１３０２とを有している。図２１に示すように、風吹出部材９５が上側の特定位置に止まったときは、第２の風入口穴１２１９が、ケーシング１２５３Ａに設けられている第２の風通過穴１２１５から出た風を第２の風通路１３０２内に導くことができるような位置に来るようになっている。
【０１４６】
以上のような構成により、この風吹出部材１０９５は、図２０に示したように、下側の特定位置に止まったときに、ファン１２４０の駆動によって生成された風を剃毛部１２５３Ｂ内（又は他のトリートメント部内）に吹き込めるようになっている。これにより、剃毛部１２５３Ｂ内にたまり得る毛くずを吹き飛ばして簡易的な掃除ができる。また、剃毛部１２５３Ｂ内に吹き込まれる風に、上述した方法でオゾンを含ませれば、簡易的な除菌ができる。また、水洗い又はアルコール洗浄後の剃毛部１２５３Ｂ内を乾かすことができる。
【０１４７】
なお、この第８のサブ実施例として、例えば以下のようなものが考えられる。
【０１４８】
すなわち、図２２に示すように、風吹出部材１３９５が下側の特定位置に止まっても上側の特定位置に止まっても、第１の風出口穴１２１３から出る風を剃毛部１２５３Ｂ内に吹き込めるように、第１の風通穴１２１１が、上下方向に広くなった風通過穴１２１１Ｗであっても良い。また、図９２に示すように、風吹出部材１３９５が下側の特定位置に止まっても上側の特定位置に止まっても、第１の風入口穴１２１３から第１の風通路１３１０内に風を吹き出せるように、第２の風通穴１２１５が、上下方向に広くなった風通過穴１２１５Ｗであっても良い。このような構成にすることで、風吹出部材１３９５が下側の特定位置に止まったときには、剃毛部１２５３Ｂ内だけに風を吹出することができ、風吹出部材１３９５が上側の特定位置に止まったときには、剃毛部１２５３Ｂの作用面の近傍だけでなく、剃毛部１２５３Ｂ内へも風を吹出すことができる。
【０１４９】
また、第８のサブ実施例において、風吹出部材は、図２３に示すように、剃毛部１２５３Ｂが作用する皮膚又は体毛の領域内の或る１又は複数の位置に集中的に風を吹き当てられるような形状を有する風吹出部材１２９５であっていても良い。
【０１５０】
図２４は、第９のサブ実施例に係る除毛装置を示す。
【０１５１】
この除毛装置１２７０は、いわゆるロータリー式の剃毛装置である。この除毛装置１２７０の剃毛部の作用面１５８３の全周には、イオン風、オゾン風、又はイオン・オゾン風を皮膚又は体毛に吹出すための風吹出穴１０８３が溝状に環状になって設けられている（変形例として、吹出穴は、円形等をした複数の口になって設けられていても良い）。さらに、図示のように、剃毛部の作用面１５８３内には、イオン風等を吹出すための別の風吹出穴１０８２が設けられていても良い。また、この除毛装置１２７０は、上部１５８４と下部１５８５を所定軸を中心に相対的に右又は左にまわすことにより、風吹出穴１０８３及び別の風吹出穴１０８２からイオン風等を出すための図示しない風通路が狭まる又は遮断されても良い。
【０１５２】
以上、本発明の幾つかの好適なサブ実施例を説明したが、これらは本発明の説明のための例示であって、本発明の範囲をこれらのサブ実施例にのみ限定する趣旨ではない。本発明は、他の種々の形態でも実施することが可能である。
【０１５３】
例えば、本発明は、体表（例えば皮膚又は体毛）に対して化学的又は物理的に作用することが可能な種々のトリートメント装置、例えば、例えば、超音波刺激装置、低周波刺激装置、刺青を彫るための装置、スキンケア装置、円筒状のローラを皮膚に接触した状態で転がすことにより美顔効果を図る美顔装置、電動歯ブラシに適用し得る。
【０１５４】
また、上述した第１〜第９のサブ実施例に係る除毛装置の各要素を適宜に組み合わせた別の除毛装置（或いは美肌装置やその他のトリートメント装置）を作ることもできる。
【０１５５】
また、上述した除毛部や剃毛部は美肌ローラを置き換え、除毛部や剃毛部を搭載可能な吹出口機構は美肌ローラを搭載可能な頭ケーシングと置き換え可能である。
【０１５６】
この第２実施例は、例えば以下のように抽象的に表現することができる。
【０１５７】
第２実施例に従うトリートメント装置（例えば美肌装置又は除毛装置）は、トリートメントするためのトリートメント部（例えば、肌押し当て部）と、トリートメント直前、トリートメント中又はトリートメント直後に、トリートメントされた領域（例えば、トリートメント部が接触した肌領域）に、マイナスイオンを含んだイオン風を吹き当てるイオン風吹き当て部とを備える。
【０１５８】
第１の好適な実施形態では、前記トリートメント部は、前記体毛を剃毛するための剃毛部である。
【０１５９】
第２の好適な実施形態では、前記トリートメント部は、前記体毛を脱毛するための脱毛部である。なお、ここで言う「脱毛」とは、抜き取ることで体毛を除去するいわゆる「抜毛」に限られない広い意味（例えば、温灸脱毛、電気脱毛、レーザ脱毛などを包含する意味）の脱毛である。
【０１６０】
第３の好適な実施形態では、前記トリートメント部は、前記体毛に直接作用する除毛機構と、前記除毛機構を駆動する駆動装置とを有し、前記除毛部又は前記除毛部中の前記除毛機構が、前記除毛装置の他の部分に対して着脱可能に構成されている。
【０１６１】
第４の好適な実施形態では、トリートメント装置が、前記除毛部が前記他の部分から着脱自在であり、且つ、前記除毛部を取り外した後に、これに代えて、これとは別の方法で除毛するための別の除毛部を前記他の部分に着脱自在に取り付けることができるように構成されている。
【０１６２】
第５の好適な実施形態では、前記イオン風吹き当て部は、１又は複数のイオン風吹出穴を有する吹出口部材と、マイナスイオンを含んだイオン風を発生して前記吹出口部材へ送り込むイオン風発生部とを有し、前記イオン風吹き当て部又は前記イオン風吹き当て部中の前記吹出口部材が、前記除毛装置の他の部分に対して着脱自在になっている。また、除毛装置が、前記吹出口部材を取り外した後、前記吹出口部材とは別の形状をした別の吹出口部材を前記他の部分に取り付けることができるようになっている。さらに、前記別の吹出口部材の形状は、前記除毛装置を温風乾燥装置としても利用できるような形状である。
【０１６３】
トリートメント装置は、体表をトリートメントするためのトリートメント部と、トリートメント直前、トリートメント中又はトリートメント直後に、前記トリートメント部によってトリートメントされる又はされた体表の領域に、オゾンを含んだオゾン風を吹き当てるオゾン風吹き当て部とを備える。
【実施例３】
【０１６４】
以下、本発明の第３実施例について説明する。第３実施例は、第２実施例の応用例と言うことができる。
【０１６５】
図２５は、本発明の第３実施例に係るトリートメント装置の斜視図であり、図２６は、そのトリートメント装置のＢ−Ｂ方向の断面図である。なお、図２５、２６は、このトリートメント装置の機能を説明するための図であり、各構成要素の寸法関係は必ずしも正確ではない。以下、図２５及び図２６の両図を用いて第３実施例について説明する。
【０１６６】
トリートメント装置２０５１は、美肌ローラユニット２０５５と、風吹出口部材２０５３Ｂと、ケーシング２０５３Ａとを備えている。
【０１６７】
美肌ローラユニット２０５５は、後述するように、風吹出口部材２０５３Ｂに対して着脱自在になっている（又は、風吹出口部材２０５３Ｂに対して着脱不能にし、美肌ローラを備えた第1実施例のような頭ケーシングとすることもできる）。美肌ローラユニット２０５５は、所定の回転軸を中心に回転可能な円柱状の美肌ローラ２０６１と、美肌ローラ２０６１の回転軸を支持する支持部材２０５４とを備えている。美肌ローラ２０６１の作用面（換言すれば、円柱側面の一部分）は、肌に確実に接触させることができるように、トリートメント装置２０５１の先端からはみ出ている。なお、美肌ローラユニット２０５５は、風吹出口部材２０５３Ｂから取り外し、別のユニット（例えば図１４に示した剃毛部１０５５或いは図１７に示した脱毛部１０６３）を風吹出口部材２０５３Ｂに装着することができる。
【０１６８】
風吹出口部材２０５３Ｂは、後述するように、ケーシング２０５３Ａに対して着脱自在に構成されている。また、風吹出口部材２０５３Ｂは、美肌ローラユニット２０５５が装着（例えば嵌合）できるような形状をしており、先端部分に、後述するように、ファン２３００の駆動によって生成された風を吹出すための２つの風吹出穴２０７１を有し、このトリートメント装置２０５１内部には、各風吹出穴２０７１、２０７１からケーシング２０５３Ａの下方にわたって、風の通路となる空間（以下、「風通路」と言う）２０７２、２０７２が設けられている。この実施形態では、各風吹出穴２０７１、２０７１は、溝状に（或いは細長い穴であり）、美肌ローラ２０６１の作用面の幅方向（或いは円柱ローラ２０６１の高さ方向）の縁に沿って実質的に全幅にわたって設けられている（すなわち、この実施形態では、美肌ローラ２０６１の作用面の両側に幅方向に沿って風吹出穴２０７１、２０７１が設けられている）。また、この実施形態では、風吹出口部材２０５３Ｂにおいて、風吹出穴２０７１、２０７１を有する先端部分は、美肌ローラ２０６１の作用面のあらゆる領域が皮膚に接することを妨げないような形状になっている、具体的には、例えば、図示のように、実質的に作用面に沿って斜めに切られた形状になっている。
【０１６９】
風吹出口部材２０５３Ｂの内部には、超音波発生回路２１０３と、振動板２０７６と、液体タンク２０７８と、液体運搬部材３０７２とが備えられている。
【０１７０】
超音波発生回路２１０３は、風吹出口部材２０５３Ｂがケーシング２０５３Ａに装着された場合に、ケーシング２０５３Ａ内の電源回路２１０１と電気的に接続され、その電源回路２１０１からの給電を受けて、超音波を発生することができるように構成された電気回路（又は電子回路）である。
【０１７１】
振動板２０７６は、超音波発生回路２１０３から発生された超音波の影響で振動する板である。この板に液体が付着すると、超音波による振動板２０７６の振動の影響で、その振動板２０７６に付着した液体は霧化する。
【０１７２】
液体タンク２０７８は、所定成分の液体を貯蔵するための内部空間を有したタンクであり、風吹出口部材２０５３Ｂの内部に備えられている。液体タンク２０７８内の液体の量は、液体運搬部材３０７２に吸い上げられて振動板２０７６に運搬されるため、徐々に減少する。減少した液体を補充するためには、外部から液体タンク２０７８内に液体を補充するか、或いは、その液体タンク２０７８を取り外し別の液体タンク２０７８に交換する方法が考えられる。液体タンク２０７８は、トリートメント装置２０５１内部に又は外部に着脱自在に備えられても良い。
【０１７３】
液体運搬部材３０７２は、液体タンク２０７８内の液体を振動板２０７６に運搬しその液体を振動板に付着させるための部材である。液体運搬部材３０７２は、例えば、羊毛フェルト或いは合成樹脂等の吸収体であり、毛細管現象により、液体タンク２０７８内の液体を振動板２０７６へ吸い上げることができるものである。
【０１７４】
ケーシング２０５３Ａの形状は、握りやすいように、下部よりも中央部又は上部の断面積の方が狭い形状をしている。また、ケーシング２０５３Ａは、風吹出口部材２０５３Ｂが着脱自在になるように構成されている。このケーシング２０５３Ａの外面には、図２５に示すように、後述する複数のトリートメントモードのうちのユーザ所望のトリートメントモードを選択的に切り替えるためのモード切替スイッチ２０７５Ａと、風量を実質的にユーザ所望の風量に制御するための風量制御スイッチ２０７５Ｂと、風吹出穴２０７１、２０７１から吹き出る風の温かさを実質的にユーザ所望の温かさに制御するための風温制御スイッチ２０７５Ｃと、装置２０５１内部の液体を霧化させるか否かを選択的に切り替えるための霧発生切替スイッチ２０７５Ｂとが設けられている。ケーシング２０５３Ａの底面には、図２６に示すように、所定の形状（例えば、網状、口状、溝状、又は環状等）の１又は複数の空気吸入穴２０７３が設けられている。
【０１７５】
ケーシング２０５３Ａの内部には、マイナスイオンを発生する１又は複数（例えば２つ）のマイナスイオン発生部（例えばマイナスイオン電極）２０５７Ａ、２０５７Ｂと、生成された風を温風にするための１又は複数（例えば２つ）のヒータ２０５８Ａ、２０５８Ｂと、オゾンを発生するための１又は複数（例えば２つ）のオゾン発生部（例えばオゾン電極）２０５２Ａ、２０５２Ｂとが備えられている。また、ケーシング２０５３Ａの内部には、風を生成するためのファン２３００と、超音波発生回路２１０３、マイナスイオン発生部２０５７Ａ、２０５７Ｂ、ヒータ２０５８Ａ、２０５８Ｂ、オゾン発生部２０５２Ａ、２０５２Ｂ及びファン２３００への給電及びそれの制御を行う電源回路２１０１とが備えられている。
【０１７６】
マイナスイオン発生部２０５７Ａ、２０５７Ｂ、ヒータ２０５８Ａ、２０５８Ｂ、オゾン発生部２０５２Ａ、２０５２Ｂは、ファン２３００の駆動によってケーシング２０５３Ａ底面の空気吸入穴２０７３から取り込まれて風吹出穴２０７１、２０７１へ送り出される空気の通路上に設けられている。
【０１７７】
電源回路２１０１は、図２５に示したモード切替スイッチ２０７５Ａ、風量制御スイッチ２０７５Ｂ、風温制御スイッチ２０７５Ｃ及び霧発生切替スイッチ２０７５Ｄの位置に応じて、換言すれば、（１）実行可能な複数のトリートメントモードの中からユーザに選択されたトリートメントモード、（２）吹き付け可能な風量の中からユーザに指定された風量、（３）温風か冷風か、（４）振動板２０７６に付着している液体を霧化するか否かの（１）〜（４）に応じて、超音波発生回路２１０３、マイナスイオン発生部２０５７Ａ、２０５７Ｂ、ヒータ２０５８Ａ、２０５８Ｂ、オゾン発生部２０５２Ａ、２０５２Ｂ及びファン２３００への給電を制御する。
【０１７８】
例えば、電源回路２１０１は、モード切替スイッチ２０７５Ａが第１の位置に移動させられた場合は、このトリートメント装置２０５１の電源をオフ状態にする。
【０１７９】
電源回路２１０１は、モード切替スイッチ２０７５Ａが第２の位置に移動させられた場合は、イオン風モードを実行する。具体的に言うと、電源回路２１０１は、ファン２３００及びマイナスイオン発生部２０５７Ａ、２０５７Ｂへ給電してそれらを駆動する。それにより、イオン発生部２０５７Ａ、２０５７Ｂにおいてマイナスイオンが発生すると共に、ケーシング２０５３Ａ底面の空気吸入穴２０７３、２０７３から空気が取り込まれて、その空気が、マイナスイオン発生部２０５７Ａ、２０５７Ｂで発生したマイナスイオンを含んで、風吹出口部材２０５３Ｂ内の風通路風２０７２、２０７２を通って風吹出穴２０７１、２０７１から送り出される。つまり、イオン風モードでは、点線で例示したように、風吹出口部材５３Ｂ先端の風吹出穴２０７１、２０７１から、マイナスイオンが含まれたイオン風が吹き出る。これを利用すれば、美肌ローラ２０６１が肌に接触し肌上を転がっている最中に、美肌ローラ２０６１が接触する直前又は直後の肌領域に、イオン風が吹き当たる。なお、オゾンおよびマイナスイオンの量は、例えば、１ｃｍ2当りマイナスイオン100万個以上、オゾン0.004〜0.006PPMである。
【０１８０】
電源回路２１０１は、モード切替スイッチ２０７５が第３の位置に移動させられた場合は、オゾン風モードを実行する。具体的に言うと、電源回路２１０１は、ファン２３００及びオゾン発生部２０５２Ａ、２０５２Ｂへ給電してそれらを駆動する。それにより、イオン発生部２０５２Ａ、２０５２Ｂにおいてオゾン（例えば微量のオゾン）が発生すると共に、ケーシング２０５３Ａ底面の空気吸入穴１０７３、１０７３から空気が取り込まれて、その空気が、オゾン発生部２０５２Ａ、２０５２Ｂで発生したオゾンを含んで、風吹出口部材２０５３Ｂ内の風通路風２０７２、２０７２を通って風吹出穴２０７１、２０７１から送り出される。つまり、オゾン冷風モードでは、点線で例示したように、風吹出口部材２０５３Ｂ先端の風吹出穴２０７１、２０７１から、オゾンが含まれたオゾン風が吹き出る。これを利用すれば、美肌ローラ２０６１が肌に接触し肌上を転がっている最中に、美肌ローラ２０６１が接触する直前又は直後の肌領域に、オゾン風が吹き当たる。
【０１８１】
電源回路２１０１は、モード切替スイッチ７５が第４の位置に移動させられた場合は、イオン・オゾン風モードを実行する。具体的に言うと、電源回路２１０１は、ファン２３００、マイナスイオン発生部２０５７Ａ、２０５７Ｂ及びオゾン発生部２０５２Ａ、２０５２Ｂへ給電してそれらを駆動する。それにより、イオン発生部２０５７Ａ、２０５７Ｂにおいてマイナスイオンが発生し、オゾン発生部２０５２Ａ、２０５２Ｂにおいてオゾンが発生すると共に、ケーシング２０５３Ａ底面の空気吸入穴１０７３、１０７３から空気が取り込まれて、その空気が、オゾン発生部２０５２Ａ、２０５２Ｂで発生したオゾンと、マイナスイオン発生部２０５７Ａ、２０５７Ｂで発生したマイナスイオンとを含んで、風吹出口部材２０５３Ｂ内の風通路風２０７２、２０７２を通って風吹出穴２０７１、２０７１から送り出される。つまり、イオン・オゾン風モードでは、点線で例示したように、風吹出口部材２０５３Ｂ先端の風吹出穴２０７１、２０７１から、マイナスイオン及びオゾンが含まれたイオン・オゾン風が吹き出る。これを利用すれば、美肌ローラ２０６１が肌に接触し肌上を転がっている最中に、美肌ローラ２０６１が接触する直前又は直後の肌領域に、イオン・オゾン風が吹き当たる。
【０１８２】
以上のように、電源回路２１０１は、モード切替スイッチ２０７５Ａの位置に応じて、マイナスイオン発生部２０５７Ａ、２０５７Ｂ、ヒータ１０５８Ａ、１０５８Ｂ、オゾン発生部２０５２Ａ、２０５２Ｂ及びファン２３００への給電を制御する。なお、その際、電源回路２１０１は、風量制御スイッチ２０７５Ｂの位置に応じて、ファン２３００の回転速度を制御して（例えば段階的に切り替えて）、イオン風、オゾン風、又はイオン・オゾン風の風量を制御する（例えば段階的に切り替える）。また、電源回路２１０１は、風温制御スイッチ２０７５Ｃの位置に応じて、ヒータ２０５８Ａ、２０５８Ｂから発生する熱量を制御して（例えば、ヒータ２０５８Ａ、２０５８Ｂへの給電のオン・オフを切り替えて）、イオン風、オゾン風、又はイオン・オゾン風の温かさを制御する（例えば、比較的冷たくするか比較的温かくするかを切り替える）。
【０１８３】
ところで、このトリートメント装置２０５１は、風吹出口部材２０５３Ｂに対して着脱自在となっている美肌ローラユニット２０５５を風吹出口部材５３Ｂから取り外し、別の方法で皮膚又は体毛に対してトリートメントする部材を装着することで、美肌作用とは異なる別のトリートメント機能を発揮することができる。例えば、美肌ローラユニット２０５５が取り外された後に、脱毛部１０６３（図１７参照）が風吹出口部材２０５３Ｂに装着されれば、脱毛を実行することができる。なお、その脱毛部１０６３は、皮膚又は体毛に直接的に接触して体毛を抜き取るための脱毛機構１０６５と、脱毛機構６５を駆動して脱毛を行うための図示しない駆動部とを有している。この脱毛部を装着した後、モード切替スイッチ２０７５Ａの位置を切り替えることにより、上述した複数のトリートメントモードのうちユーザ所望のトリートメントモードで脱毛を行うことができる。例えば、或るモードを選択すれば、脱毛の直前又は直後に、脱毛機構１０６５が接触する又は接触した皮膚又は体毛に対してイオン風を吹き当てることができる。その際、風量制御スイッチ２０７５Ｂ及び風温制御スイッチ２０７５Ｃを制御すれば、イオン風の風量及び温かさを調節することができる。
【０１８４】
電源回路２１０１は、霧発生切替スイッチ２０７５Ｄが第１位置から第２位置に移動させられた場合は（すなわちスイッチがターンオンされた場合は）、装置２０５１内部（具体的には、風吹出口部材２０５３Ｂ内部）で、霧を発生させる。具体的に言うと、電源回路２１０１は、超音波発生回路２１０３へ給電してその回路２１０３に超音波を発生させることにより、振動板２０７６に付着している液体を霧化させる。
【０１８５】
このトリートメント装置２０５１は、ケーシング２０５３Ａに対して着脱自在となっている風吹出口部材２０５３Ｂをケーシング２０５３Ａから取り外し、別の形状をした風吹出口部材を装着することで、美肌作用とは異なる別のトリートメント機能を発揮することができる。例えば、風吹出口部材５３Ｂがケーシング２０５３Ａから取り外された後に、ドライヤー用風吹出口部材５３Ｃ（図１９参照）がケーシング２０５３Ａに装着されれば、ドライヤーとして機能することができる。なお、そのドライヤー用風吹出口部材１０５３Ｃは、風吹出穴１０６０の大きさは、風の上流側の断面積よりも狭くなっていて、風速を速めることができるようになっている。このドライヤー用風吹出口部材１０５３Ｃを装着した後、モード切替スイッチ２０７５Ａの位置を切り替えることにより、上述した複数のトリートメントモードのうちユーザ所望のトリートメントモードで脱毛を行うことができる。例えば、モード切替スイッチ２０７５が第２の位置に移動させられた場合は、イオン風モードを実行してイオン風を吹出すができるし、モード切替スイッチ２０７５がここで初めて説明する第９の位置に移動させられた場合は、マイナスイオンもオゾンも含まれないただの風を吹出すことができる。もちろん、その際、風量制御スイッチ２０７５Ｂ及び風温制御スイッチ７５Ｃを制御すれば、吹出す風の風量及び温かさを調節することができる。
【０１８６】
このトリートメント装置２０５１は、各スイッチ２０７５Ａ〜２０７５Ｄの位置を所望位置にあわせることで、様々な態様のトリートメント作用を提供することができる。例えば、電源回路２１０１が、各スイッチ２０７５Ａ〜２０７５Ｄの位置に応じて、ファン２３００、超音波発生回路２１０３及びマイナスイオン発生部２０５７Ａ、２０５７Ｂへ給電してそれらを駆動すれば、振動板２０７６から霧状液体が発生し、イオン発生部２０５７Ａ、２０５７Ｂにおいてマイナスイオンが発生すると共に、ケーシング２０５３Ａ底面の空気吸入穴２０７３、２０７３から空気が取り込まれて、その空気が、マイナスイオン発生部２０５７Ａ、２０５７Ｂで発生したマイナスイオンと、振動板２０７６から発生した霧状液体とを含んで、風吹出口部材２０５３Ｂ内の風通路風２０７２、２０７２を通って風吹出穴２０７１、２０７１から送り出される。つまり、ユーザは、霧状液体とマイナスイオンとを含んだ風を受けることができる。同様の方法で、ユーザは、霧状液体とオゾン（及びマイナスイオン）とを含んだ風を受けることもできる。
【０１８７】
また、液体タンク２０７８内の液体は、水であっても良いし、肌或いは髪に有効な成分（例えばケラチン）を含んだ液体（例えば液状のケラチン）であっても良い。また、液体タンク２０７８内の液体（或いは液体タンク２０７８）には、複数種類のトリートメント対象（例えば肌又は髪）にそれぞれ対応した複数の種類が存在しても良く、ユーザは、トリートメント対象に応じて、液体或いは液体タンクを交換しても良い。このように、霧化される液体（換言すれば、トリートメント領域に吹き当てられる霧状液体）をトリートメント対象（例えば肌或いは髪）に有効な成分を含んだものとすれば、トリートメント効果がより一層高まる。
【０１８８】
また、超音波発生回路２１０３や振動板２０７６は、風吹出口部材２０５３Ｂ内ではなく、ケーシング２０５３Ａ内に設けられていても良い。また、第３実施例では、風吹出穴２０７１、２０７１から吹き出させる風の属性を調節するための方法として、一例として、４種類のスイッチ２０７５Ａ〜２０７５Ｄを使用する方法を挙げたが、そのため方法は、それに限らず、種々の方法を採用することができる。また、霧状液体を含んだイオン風、オゾン風、及びイオン・オゾン風の風通路２０７２、２０７２は、図２６に示したように、美肌ローラ２０６１に風が当たらないよう非肌ローラ２０６１との間で仕切られていても良い。これにより、霧状液体が美肌ローラ２０６１の表面に接触して該表面上で液滴となって存在し、美肌ローラ２０６１が皮膚上を転がる場合にその液滴が皮膚についてしまうことがない。
【０１８９】
以上、本発明の幾つかの好適な実施例を説明したが、これらは本発明の説明のための例示であって、本発明の範囲をこれらの実施例にのみ限定する趣旨ではない。本発明は、他の種々の形態でも実施することが可能である。例えば、第１実施例〜第３実施例で述べた構成は適宜に組み合わせることができる。また、例えば、第１実施例において、頭ケーシング１２１内の気体の流通路は具体的に示していないが、上記説明と図３及び図４の記載を見れば、当業者であれば、体ケーシング１内と頭ケーシング１２１内に所望の流通路を設計して本発明を実施することができることは言うまでもない。
【図面の簡単な説明】
【０１９０】
【図１】本発明の第1実施例に係る美肌装置の正面図。
【図２】図１の美肌装置の側面図。
【図３】図１の美肌装置の頭部の斜視図。
【図４】美肌装置１０１の体ケーシング１内における部分の断面を示す。
【図５】十字状のマイカ板の吹出し口側の正面断面図である。
【図６】イオン発生器の直列共振回路図である。
【図７】イオン電極とオゾン電極の接続図である。
【図８】本発明の第2実施例の第1サブ実施例に係る除毛装置の全体構成を示す説明図。
【図９】図８に記載した負イオン発生器に内蔵される、負イオンが発生可能な程度の高さの交流電圧を供給するための高電圧供給部の回路構成を示すブロック図。
【図１０】第２サブ実施例に係る除毛装置の全体構成を示す説明図。
【図１１】第３サブ実施例に係る除毛装置の全体構成を示す説明図。
【図１２】第４サブ実施例に係る除毛装置の要部構成を示す説明図。
【図１３】第５サブ実施例に係る除毛装置が備える負イオン発生器の基板に配置されている高電圧発生回路の回路構成図。
【図１４】第７サブ実施例に係る除毛装置の斜視図。
【図１５】図１４に示した除毛装置のＡ−Ａ方向の断面図。
【図１６】風吹出口部材１０５３Ｂから剃毛部１０５５が取り外された様子を示す図。
【図１７】剃毛部１０５５の代わりに脱毛部１０６３が風吹出口部材１０５３Ｂに装着される様子を示す図。
【図１８】ケーシング１０５３Ａから風吹出口部材１０５３Ｂが取り外された様子を示す図。
【図１９】風吹出口部材１０５３Ｂの代わりにドライヤー用風吹出口部材１０５３Ｃがケーシング１０５３Ａに装着される様子を示す図。
【図２０】風吹出口部材１０９５が下側の特定位置に止まっているときの、第８サブ実施例に係る除毛装置を示す図。
【図２１】第８のサブ実施例に係る除毛装置において、風吹出口部材１０９５が上側の特定位置に止まったときの様子を示す図。
【図２２】第８サブ実施例に係る除毛装置の変形例を示す図。
【図２３】第８のサブ実施例に係る除毛装置の別の変形例を示す図。
【図２４】本発明の第９のサブ実施例に係る除毛装置を示す図。
【図２５】本発明の第３実施例に係るトリートメント装置の斜視図。
【図２６】図２５に示したトリートメント装置のＢ−Ｂ方向の断面図。
【符号の説明】
【０１９１】
１  体ケーシング
１０１  美肌装置
１１１A、１１B  風量調節ボタン
１１３  美肌ローラ
１２１  頭ケーシング
１２３  イオン風吹出穴
２０９  風温切替スイッチ
【図１】
2004148107.tif 000003
【図２】
2004148107.tif 000004
【図３】
2004148107.tif 000005
【図４】
2004148107.tif 000006
【図５】
2004148107.tif 000007
【図６】
2004148107.tif 000008
【図７】
2004148107.tif 000009
【図８】
2004148107.tif 000010
【図９】
2004148107.tif 000011
【図１０】
2004148107.tif 000012
【図１１】
2004148107.tif 000013
【図１２】
2004148107.tif 000014
【図１３】
2004148107.tif 000015
【図１４】
2004148107.tif 000016
【図１５】
2004148107.tif 000017
【図１６】
2004148107.tif 000018
【図１７】
2004148107.tif 000019
【図１８】
2004148107.tif 000020
【図１９】
2004148107.tif 000021
【図２０】
2004148107.tif 000022
【図２１】
2004148107.tif 000023
【図２２】
2004148107.tif 000024
【図２３】
2004148107.tif 000025
【図２４】
2004148107.tif 000026
【図２５】
2004148107.tif 000027
【図２６】
2004148107.tif 000028